(57)【特許請求の範囲】
【請求項１】
給水栓本体から延設されると共に、止水栓などの配管端末具に接続される接続管を備えた給水栓であって、前記接続管の先端に、接続管を構成する部材から一体的に形成された収容部を設け、該収容部に逆止弁を収容したことを特徴とする給水栓。
【請求項２】
接続管は、小径の主体部と、該主体部の先端に膨出形成された大径の収容部とを備えてなることを特徴とする請求項１に記載の給水栓
【請求項３】
接続管は外周面に鍔部を備え、該鍔部が、配管端末具側に刻設された雄ネジ部に螺着されるナットにより係止されることによって、接続管と配管端末具との接続がなされることを特徴とする請求項１又は請求項２に記載の給水栓。
【請求項４】
逆止弁は、ハウジングと、該ハウジングに内蔵された弁機構とを備えてなることを特徴とする請求項１から請求項３までの何れかに記載の給水栓。
【請求項５】
逆止弁は、収容部の先端側から挿入されると共に、配管端末具側の規制部により抜け方向の移動が規制されることを特徴とする請求項４に記載の給水栓。
【発明の詳細な説明】
【０００１】
【発明の属する技術分野】
本各発明は、給水栓本体から延設されると共に、止水栓などの配管端末具に接続される接続管を備えた給水栓に関する。
【０００２】
【従来の技術】
給水栓には、湯・水等の流体の逆流防止のためにその内部に逆止弁を備えるものがある。従来、これらの給水栓のうち、給水栓本体内に十分なスペースを取れるものにあっては本体内に逆止弁を内蔵していた。一方、このようなスペースを給水栓本体内に十分に取れない給水栓の場合には、給水管や給湯管等の水道配管の端末に設けられた止水栓等の配管端末具と、水栓本体から延設された接続管との接続部分に、逆止弁を内蔵したジョイントを介在させることとしていた。
【０００３】
これを詳しく説明すると、図３の通りである。給水栓１００は、洗面化粧台の天板１０２に設けられた取付孔１０４に挿通されてナット１０５により固定される給水栓本体１０８と、給水栓本体１０８から延設され配管端末具（止水栓）１１０に接続される接続管１１２とを備えている。接続管１１２の配管端末具１１０側端部はジョイント１１４内に挿入されてナット１０６により固定されており、さらにこのジョイント１１４が配管端末具１１０にナット１０７により固定されている。そして、図示は省略するがこのジョイント１１４内に逆止弁が内蔵されている。なお、接続管１１２は銅管など手により折り曲げ可能な材質で形成されており、配管端末具１１０の取付間隔に合わせて自由に折り曲げられ適切な間隔に広げられた状態で接続されている。
【０００４】
【発明が解決しようとする課題】
上記のような従来の給水栓にあっては、逆止弁を内蔵する構造が複雑なジョイントを必要とする分だけ、製造費用が嵩むものであった。また、ジョイントは、配管端末具及び接続管との接続部を両端に有するばかりでなく、逆止弁を内蔵するものであるから、その長さを短く抑えることが困難であり、その長さを長くせざるを得ない。このように長さの長いジョイントを用いると、接続管と配管端末具との接続部分が大型化し、配管端末具及び接続管の両部材との接続作業のために大きな空間を必要とする。
【０００５】
本各発明は上記した従来技術の問題点を解決するものであり、給水栓の製造費用を低減すると共に、接続管と配管端末具との接続部分をコンパクトに納めることを目的とする。
【０００６】
【課題を解決するための手段】
以上の課題を解決するために、本各発明の採った手段を  各発明ごとに以下に説明する。
【０００７】
本発明の請求項１に記載の給水栓は、「給水栓本体から延設されると共に、止水栓などの配管端末具に接続される接続管を備えた給水栓であって、前記接続管の先端に、接続管を構成する部材から一体的に形成された収容部を設け、該収容部に逆止弁を収容したことを特徴とする給水栓」である。
【０００８】
本発明では、逆止弁を接続管自体に収容しているため、接続管と配管端末具との間に、逆止弁を内蔵する別途のジョイントを必要とせず、製造費用を削減できる。また、逆止弁を内蔵する長さの長いジョイントを介在させないことから、接続管と配管端末具との接続部分をコンパクトに納めることができる。
【０００９】
ここで、逆止弁は、一般に、弁口を構成する部材、弁口を開閉する弁体、逆流を防止するために弁口の一次側の方向に弁体を付勢する付勢手段等の種々の構成部材を有するものである。本発明では、これらの構成部材を収容部に個々に組み付けてもよく、所望のハウジングに構成部材を内蔵して一つのユニットとされた逆止弁を収容部に組み付けてもよい。
【００１０】
また、「配管端末具」は、給水管や給湯管、あるいは浄水器などからの各種配管の端部に設けられ、給水栓に接続される部材を広く含み、例えば、止水栓、壁面等の給水栓の取り付け面に露呈されたエルボ等の部材の他、これらに装着されるジョイントなども含む。
【００１１】
さらに、「接続管」としては、銅管やフレキシブルホース等の可撓管ばかりでなく、給水栓本体を支持する剛性のあるソケットなど、給水栓本体と配管端末具とを接続するものを広く含むものである。
【００１２】
本発明の請求項２に記載の給水栓は、「接続管は、小径の主体部と、該主体部の先端に膨出形成された大径の収容部とを備えてなることを特徴とする請求項１に記載の給水栓」である。
【００１３】
図３に示した給水栓等、水栓本体における接続管の取り付け部位の領域が小さいものでは、当然、接続管を細くせざるを得ず、このような細い接続管では、逆止弁を収容する十分なスペースを確保することが困難である。
【００１４】
そこで本発明では、小径の主体部の先端に大径の収容部を設けることにより、水栓本体への接続管の取り付けについては、小径の主体部により何ら支障なく行うことができる一方、逆止弁の収容については、大径の収容部により十分なスペースを確保できる。尚、大径の収容部は、接続管の原材料である銅管等の先端をバルジ加工等により膨出させることで小径の主体部の先端に一体的に形成することができる。
【００１５】
本発明の請求項３に記載の給水栓は、「接続管は外周面に鍔部を備え、該鍔部が、配管端末具側に刻設された雄ネジ部に螺着されるナットにより係止されることによって、接続管と配管端末具との接続がなされることを特徴とする請求項１又は請求項２に記載の給水栓」である。
【００１６】
本発明では、接続管の鍔部を係止するナット、いわゆる袋ナットによって、接続管を配管端末具に簡便確実に接続固定することができる。尚、上記鍔部は、接続管の先端に設けると、配管端末具の端面と鍔部の端面との間にパッキン等のシール部材を介在させて簡略にシール接続できることから好適であるが、これに限らず、大径の収容部の中間部分や小径の主体部に設けてもよい。この場合の接続管と配管端末具とのシールについては、接続管の外周面と配管端末具の内周面との間にシール部材を設けたり、接続管に対してナットをシール接続すると共に配管端末具に対してナットをシール接続する等、適宜の手段を採用すればよい。
【００１７】
本発明の請求項４に記載の給水栓は、「逆止弁は、ハウジングと、該ハウジングに内蔵された弁機構とを備えてなることを特徴とする請求項１から請求項３までの何れかに記載の給水栓」である。
【００１８】
逆止弁を構成する種々の部材を個々に収容部に組み付けることとすると、その組付作業が煩雑なばかりでなく、接続管として、手により折り曲げ自在な銅管等の剛性の低い部材を採用した場合には、接続管自体の変形により逆止弁の機能が損なわれる虞がある。そこで、本発明では、逆止弁を、ハウジングに弁機構を内蔵した所謂逆止弁ユニットとすることで、ハウジングにより逆止弁ユニットとしての強度を確保し、逆止弁として確実に機能するようにしたのである。
【００１９】
本発明の請求項５に記載の給水栓は、「逆止弁は、収容部の先端側から挿入されると共に、配管端末具側の規制部により抜け方向の移動が規制されることを特徴とする請求項４に記載の給水栓」である。
【００２０】
上述のように、逆止弁は、ハウジングを有する逆止弁ユニットとされており、このような逆止弁を収容部の先端から挿入すると、収容部からの逆止弁の抜けを防止しなければならなくなる。ここで、収容部の内周面に止め輪等の抜け防止手段を備えようとすると、収容部自体に止め輪の装着溝等を設けなければならず、収容部の形状が複雑となり、この収容部を接続管から一体的に形成するのが困難となる。そこで、本発明では、接続管とは別体の部材である配管端末具や接続管と配管端末具との間のパッキン等の介在物等、接続管を構成する部材とは異なる配管端末具側に、逆止弁と当接して抜け方向の移動を規制する規制部を設け、この規制部により収容部からの逆止弁の抜けを防止するようにしたのである。
【００２１】
【発明の実施の形態】
図１に、請求項１乃至請求項５の各発明を適用したシングルレバー式の給水栓１０を示す。給水栓１０は、給水栓本体１２上部に取り付けられたレバー１４により、湯水の混合量及び吐水量を調節し吐水口１６から湯水を吐出するものである。給水栓１０は、洗面化粧台（図示省略）のカウンターの天板１に設置されており、天板１に穿設された取付孔２に給水栓本体１２下端の取付部１８が挿入され、ナット１０５を天板１下側から取付部１８に螺着し、天板１を狭持して固定されている。
【００２２】
取付部１８下端面からは、湯側・水側の２本の接続管２０，２０が延設されている。接続管２０には銅管が用いられており、給水管・給湯管（図示省略）の端部に設けられると共に区々の間隔に設置されている配管端末具３０，３０に合わせて、施工の際に施工者が手で折り曲げて適当な間隔に調整できるように構成されている。
【００２３】
接続管２０の先端には収容部２４が設けられており、この収容部２４に逆止弁４０が収容されている。ここで、逆止弁４０は、請求項４の発明の如く、ハウジングと、ハウジングに内蔵された弁機構とを有する所謂逆止弁ユニットとして構成されている。この逆止弁４０は、ハウジング内に、弁口と、弁口を開閉する弁体と、弁体を弁口の一次側の方向に付勢する付勢手段とを有する公知のものであり、その詳細は省略する。
【００２４】
また、接続管２０は、請求項２の発明の如く、逆止弁４０のハウジングよりも小径の内径を有する小径の主体部２２と、この主体部２２の先端に膨出形成された大径の収容部２４とを有するものとして構成されており、収容部２４の内径は、当然、逆止弁４０のハウジングより大径とされている。
【００２５】
次いで、この収容部２４について、図２を参照して説明する。収容部２４は、接続管２０の原材料である銅管の先端を膨出させて主体部２２と一体的に形成されており、バルジ加工や鍔出し加工などを用いて形成されている。この収容部２４内に、ハウジングの外周にＯリング等のシール部材４２を取り付けた逆止弁４０が収容されている。収容部２４は、逆止弁４０の外径よりも小さい内径に形成された主体部２２との間に段部２６を備えており、逆止弁４０を収容する際にはこの段部２６に逆止弁４０が当接することにより、それ以上逆止弁４０が主体部２４方向に移動しないように規制されている。
【００２６】
また、請求項３の発明の如く、収容部２４の先端には鍔部２８が周設されている。そして、この鍔部２８に係止されるナット３０が、鍔部２８の端面に密着するパッキン等のシール部材３２を介在させて、配管端末具３０に刻設された雄ネジ部３８に螺着されており、これにより、接続管２０と配管端末具３０とが接続固定されている。ここで、配管端末具３０の雄ネジ部３８先端は、その内径が逆止弁４０の外径よりも小さくされており、この先端部分によって、請求項５の発明の如き規制部３４が構成されている。接続管２０と配管端末具３０とを接続固定した後には、この規制部３４が逆止弁４０のハウジングの下端に当接することにより、収容部２４からの逆止弁４０の抜けが防止される。尚、請求項５の発明においてはこれに限らず、接続管２０と配管端末具３０との間の介在物であるシール部材３２の内径を逆止弁４０のハウジングの外径より小さくするなどして、配管端末具３０以外の部材により抜け防止を図ることとしても良い。
【００２７】
本各発明は上記した実施の形態に限られるものではなく、各発明の趣旨を逸脱しない範囲で変更することが可能である。例えば、本各発明は上記したシングルレバー式の給水栓１０に限られず、２ハンドル式の給水栓などにも適用可能である。また、本実施の形態では、配管端末具３０の規制部３４を用いて逆止弁４０の抜け防止を図っているが、請求項１〜４の発明ではこれに限られず、例えば、逆止弁４０を収容部２４に収容後、収容部２４の先端部分をかしめて逆止弁を固定したり、収容部２４に逆止弁４０を接着したり、或いは、収容部２４に別部材を装着して逆止弁４０を固定するなどして、逆止弁４０の抜けを防止することとしても良い。
【００２８】
さらに、ストレート状の銅管を接続管２０として用いるものを例示したが、これに限らず、例えば螺旋状の溝が凹設されたスパイラル管などを接続管として用いてもよい。またさらに、配管端末具３０として止水栓を例示したが、配管端末具３０は止水栓に限られず、接続管２０が接続可能な種々の部材であってもよい。例えば、止水栓の雄ネジ部の径とナット３０の雌ねじの径が異なるなど、接続管２０と止水栓とを直接接続できない場合には、ジョイントを介在させることとなるが、このようなジョイントを配管端末具としてもよい。この例においてはジョイントが必要となるが、逆止弁４０は接続管２０の収容部２４内に収容されており、配管端末具としてのジョイントには逆止弁が内蔵されることはない。よって、ジョイントは、両端にネジ部を有する単なる筒状の簡略な構造のものとすればよく、このようなジョイントによっては、製造費用が大幅に嵩むことがない。また、ジョイント自体の長さも短く抑えることができるため、接続部分が大型化されることもない。
【００２９】
【発明の効果】
本各発明は上記のように構成されているので、給水栓の製造費用を低減し、接続管と配管端末具との接続部分をコンパクトに納めることができる。
【００３０】
特に、請求項２の発明によれば、水栓本体への接続管の取り付けには何ら支障を来さずに逆止弁を収容する十分なスペースを確保することができ、請求項３の発明によれば、接続管と配管端末具とを簡便確実に接続固定することができ、請求項４の発明によれば、逆止弁の組付が簡便で、しかも逆止弁としての強度及び機能を確保することができ、請求項５の発明によれば、接続管内に収容した逆止弁の抜けを簡便確実に防止することができる。
【図面の簡単な説明】
【図１】本発明の給水栓を示す図である。
【図２】図１の給水栓の要部を示す断面図である。
【図３】従来の給水栓を示す図である。
【符号の説明】
１；天板、２；取付孔、１０；給水栓、１２；給水栓本体、１４；レバー、１６；吐水口、１８；取付部、２０；接続管、２２；主体部、２４；収容部、２６；段部、２８；鍔部、３０；配管端末具、３２；シール部材、３４；規制部、３６；ナット、３８；雄ネジ部、４０；逆止弁、４２；シール部材、１００；給水栓、１０２；天板、１０４；取付孔、１０５，１０６，１０７；ナット、１０８；給水栓本体、１１０；配管端末具（止水栓）、１１２；接続管、１１４；ジョイント。
【図１】
0004172609.tif 000002
【図２】
0004172609.tif 000003
【図３】
0004172609.tif 000004